(57)【要約】      （修正有）【課題】美的外観に優れ、かつ、簡便に糸かけ曼荼羅を含むストリングアートを作るためのクリアボードを提供する。【解決手段】フレーム部材に２液硬化剤が設けられて形成される硬化部材３３と、透明性を有する板部材と、前記板部材の下に敷設される図案部に基づいて前記板部材に立設され、紫外線硬化樹脂により固定される複数の固着部３２と、を備え、前記硬化部材は、前記フレーム部材に敷設される前記板部材上に前記２液硬化剤が設けられて形成される。【選択図】図１
0003225537.tif 000002
【実用新案登録請求の範囲】
【請求項１】
フレーム部材に２液硬化剤が設けられて形成される硬化部材を備えることを特徴とするクリアボード。
【請求項２】
請求項１に記載のクリアボードにおいて、
透明性を有する板部材と、
前記板部材の下に敷設される図案部に基づいて前記板部材に立設され、紫外線硬化樹脂により固定される複数の固着部と、
を備え、
前記硬化部材は、前記フレーム部材に敷設される前記板部材上に前記２液硬化剤が設けられて形成されることを特徴とするクリアボード。
【請求項３】
請求項２に記載のクリアボードについて、
前記硬化部材は、
前記板部材とともに載置される装飾部材上に前記２液硬化剤が設けられて形成されることを特徴とするクリアボード。
【請求項４】
請求項１または請求項２に記載のクリアボードについて、
前記板部材は、前記複数の固着部を前記立設するための複数の孔部が形成されていることを特徴とするクリアボード。
【考案の詳細な説明】
【技術分野】
【０００１】
本考案は、クリアボードに関する。
【背景技術】
【０００２】
従来、様々な造形物が生成されている。本考案に関連する技術として、例えば、特許文献１には、生花としての切り花に少なくともアクリル樹脂およびウレタン樹脂と水分とを含む生花コーテイング剤を施した切り花は生花コーテイング剤の加工後、植物としての自然の色と形を保ちながら、さらに植物としての生育を続け乾燥されてドライフラワーになる、生花コーテイング剤が開示されている。
【先行技術文献】
【特許文献】
【０００３】
【特許文献１】特許２０１６−１３０２２３号公報
【考案の概要】
【考案が解決しようとする課題】
【０００４】
上記のように、様々な造形物が存在する中で、例えば、ストリングアートの一種であり、木製の板などの台にピン（釘）を打ってピンに糸をかけて作る糸かけ曼荼羅という造形物が注目されている。
【０００５】
本発明の目的は、美的外観に優れ、かつ、簡便に糸かけ曼荼羅を含むストリングアートを作るためのクリアボードを提供することである。
【課題を解決するための手段】
【０００６】
本考案に係るクリアボードは、フレーム部材に２液硬化剤が設けられて形成される硬化部材を備えることを特徴とする。
【０００７】
また、本考案に係るクリアボードにおいて、透明性を有する板部材と、前記板部材の下に敷設される図案部に基づいて前記板部材に立設され、紫外線硬化樹脂により固定される複数の固着部と、を備え、前記硬化部材は、前記フレーム部材に敷設される前記板部材上に前記２液硬化剤が設けられて形成されることが好ましい。
【０００８】
また、本考案に係るクリアボードについて、前記硬化部材は、前記板部材とともに載置される装飾部材上に前記２液硬化剤が設けられて形成されることが好ましい。
【０００９】
また、本考案に係るクリアボードについて、前記板部材は、前記複数の固着部を前記立設するための複数の孔部が形成されていることが好ましい。
【考案の効果】
【００１０】
本考案によれば、美的外観に優れ、かつ、簡便に糸かけ曼荼羅を作るためのクリアボードを提供することができる。
【図面の簡単な説明】
【００１１】
【図１】本考案に係る実施形態のクリアボードを示す図である。
【図２】本考案に係る実施形態のクリアボードを作るための材料などを示す図である。
【図３】本考案に係る実施形態のクリアボードを作る製造工程の前半部分を示す写真である。
【図４】本考案に係る実施形態のクリアボードを作る製造工程の後半部分を示す写真である。
【図５】本考案に係る実施形態のクリアボードを作る製造方法の手順を示すフローチャートである。
【図６】本考案に係る実施形態のクリアボードの変形例を示す図である。
【考案を実施するための形態】
【００１２】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】
図１は、本考案に係る実施形態のクリアボード１０を示す図である。図２は、クリアボード１０を作るための材料などを示す図である。
【００１４】
図３は、クリアボード１０を作る製造工程の前半部分を示す写真である。図４は、クリアボード１０を作る製造工程の後半部分を示す写真である。図５は、クリアボード１０を作る製造方法の手順を示すフローチャートである。
【００１５】
クリアボード１０は、糸かけ曼荼羅からなる造形物を形成するための板状の部材である。クリアボード１０は、板部材１４と、複数の固着部３２と、硬化部材３３とを含んで構成される。
【００１６】
クリアボード１０の大きさは、例えば、縦に１５ｃｍで横に１５ｃｍの大きさに設定することが出来るが、もちろん、適宜変更することが出来る。
【００１７】
板部材１４は、透明性を有する板状の部材である。板部材１４は、複数の固着部３２を立設するための複数の孔部１５が形成されている。板部材１４は、例えば、透明性を有するアクリル板を用いて形成することができるが、もちろん、適宜変更することが可能であり、透明性の液体等を予め硬化させて形成してもよい。
【００１８】
また、板部材１４は、アクリル板以外であってもよく、例えば、石材、プラスチック、ガラス、鉄など釘を打ち付けることが難しい板にしてもよい。
【００１９】
板部材１４は、例えば、縦に１２ｃｍ、横に１２ｃｍで厚みを２ｍｍに設定することが出来るが、適宜変更することが出来る。複数の孔部１５は、複数の固着部３２を立設しやすいように予め形成される凹部である。
【００２０】
複数の固着部３２は、配置箇所が記載され板部材１４の下に敷設される図案部１２に基づいて板部材１４に立設され、紫外線硬化樹脂により固定される釘である。釘の数は、例えば、３２本に設定することが出来るが、もちろん、適宜変更可能である。
【００２１】
固着部３２は、一例として、釘を用いるものとして説明するが、もちろん、その他の部材であってもよく、例えば、釘のような棒状の金具を用いてよい。
【００２２】
固着部３２を硬化させるのは、容器３０に収容された液体の紫外線硬化樹脂を用いている。液体の紫外線硬化樹脂を固着部３２である釘の先端に付着させて板部材１４の孔部１５に立設する。
【００２３】
紫外線硬化樹脂は、紫外線照射装置２６から照射される紫外線の光エネルギーに反応して液体から固体に化学的に変化する合成樹脂であり、ＵＶ硬化樹脂やＵＶレジンとも呼ばれる。
【００２４】
図案部１２は、固着部３２である釘の配置位置が記載された紙部材で構成されており、例えば、３２本の釘が円を描くような図形が記載されているが、もちろん、円以外の図形であってもよい。
【００２５】
硬化部材３３は、２液を混合することで硬化し透明性を有する第１段階の２液硬化剤２１がフレーム部材に敷設され、板部材１４を載置した後に板部材１４上に更に第２段階の２液硬化剤２１が設けられて形成される。
【００２６】
硬化部材３３は、板部材１４上に第２段階の２液硬化剤２１が設けられる前に装飾部材３５を載置した後に第２段階の２液硬化剤２１が設けられて形成される。
【００２７】
２液硬化剤２１は、第１液体部２０に収容される第１液体と第２液体部２２に収容される第２液体と２液を混合することで硬化させる部材であり、例えば、２液性のエポキシレジンを用いるものとして説明するが、もちろん、その他の硬化剤を用いてもよい。
【００２８】
装飾部材３５は、様々な装飾品を用いることができ、例えば、花材（プリザーブドフラワー、ドライフラワー、造花など）、文字シートやシール、カラーサンド、貝殻、天然石などを用いることが出来る。
【００２９】
続いて、上記構成のクリアボード１０の製造方法について、図１〜図５を用いて説明する。最初に図３（ａ）の左上図に示されるように、図案部１２を敷設し板部材１４を載置して四隅にマスキングテープ３４を貼着する（Ｓ２）。
【００３０】
図３（ｂ）に示されるように、洗濯バサミ３１で固着部３２である釘を挟持し、釘の先端に紫外線硬化樹脂を付け、図３（ｃ）に示されるように図案部１２の釘の位置上において、板部材１４に釘を立設するように置く（Ｓ４）。
【００３１】
図３（ｄ）に示されるように、板部材１４に置かれた釘に付いた紫外線硬化樹脂を硬化させるように紫外線照射装置２６を所定の時間（例えば、２０秒）照射する（Ｓ６）。図３（ｅ）に示されるように、何本の釘を硬化させた後に、より強固に固定するために、複数本まとめて紫外線を照射させて硬化させてもよい。
【００３２】
図３（ｆ）に示されるように、全ての釘を固着した後、マスキングテープ１４を剥がすと、図３（ｇ）のような板部材１４になる。
【００３３】
次に、紙コップなどの容器２８に第１液体部２０に収容される第１液体と第２液体部２２に収容される第２液体と２液を入れ、計量器１８を用いて、所定の容量が収容されたか否かを確認する（Ｓ８）。例えば、第１液体と第２液体を３：１の割合で４０ｇの容量となるようにする。この後、図４（ｉ）に示されるように、箸部材２４などを用いて２液をかき混ぜる。
【００３４】
図４（ｊ）、図４（ｋ）に示されるように、シリコン製のフレーム１６に２液硬化剤２１を下地として流し込み（Ｓ８）、図４（ｌ）、図４（ｍ）に示されるように、２液硬化剤２１と板部材１４の間に空気が入らないように、板部材１４を滑らせるように配置する（Ｓ１０）。
【００３５】
図４（ｎ）に示されるように、板部材１４上に花材などの装飾部材３５を載置し（Ｓ１２）、厚みが１ｃｍとなるように第１液体と第２液体を３：１の割合で２００ｇの容量の２液硬化剤２１を生成して流し込む（Ｓ１４）。
【００３６】
約２０時間経過して、自然に硬化させる（Ｓ１６）。完全に固まって完成したクリアボード１０をシリコン製のフレーム１６から取り出して作業が完成する。
【００３７】
そして、完成したクリアボード１０の釘（ピン）に、ある規則性を元に糸をかけていくと曼荼羅模様を形成する。このように、クリアボード１０は、所望の意匠となるように装飾部材３５を配置するため、美的外観に優れ、固着部３２が立設されているため、簡便に曼荼羅模様を形成することができるという顕著な効果を奏する。
【００３８】
クリアボード１０は、様々な変形例が想定される。例えば、生成されたクリアボード１０に穴を開け、そこに糸やリボンなどの装飾物を通してもよい。穴に糸やリボンなどの装飾物を通し、レジンでくっつけてもよい。レジンでできたクリアボード１０に刺繍をするような形にしてもよい。
【００３９】
他の変形例を図６に示す。シリコン製のフレーム１６に、第１液体部２０に収容される第１液体と第２液体部２２に収容される第２液体と２液を混ぜ合わせた容器２８を準備して、板部材を形成してもよい。
【００４０】
サイズの一例として、縦１５ｃｍ×横１５ｃｍ×厚み５ｍｍに設定することができるが、もちろん、適宜変更可能である。硬化した板状部材に電動ドリルなどを使い、図６（ｐ）に示されるように、円を描くような貫通孔を形成してもよい。
【００４１】
このように形成された貫通孔に、図６（ｒ）に示されるように紐類（糸、リボン、ひも、ワイヤなど）を通したり、図６（ｓ）に示されるように花などの装飾部材を装着することも可能である。
【符号の説明】
【００４２】
１０  クリアボード、１２  図案部、１４  板部材、１５  孔部、１６  フレーム、１８  計量器、２０  第１液体部、２１  ２液硬化剤、２２  第２液体部、２４  箸部材、２６  紫外線照射装置、２８  容器、３０  容器、３１  洗濯バサミ、３２  固着部、３３  硬化部材、３４  マスキングテープ、３５  装飾部材。
【図１】
0003225537.tif 000003
【図２】
0003225537.tif 000004
【図３】
0003225537.tif 000005
【図４】
0003225537.tif 000006
【図５】
0003225537.tif 000007
【図６】
0003225537.tif 000008
【手続補正書】
【提出日】令和2年1月10日(2020.1.10)
【手続補正１】
【補正対象書類名】実用新案登録請求の範囲
【補正対象項目名】全文
【補正方法】変更
【補正の内容】
【実用新案登録請求の範囲】
【請求項１】
フレーム部材に２液硬化剤が設けられて形成される硬化部材と、
透明性を有する板部材と、
前記板部材の下に敷設される図案部に基づいて前記板部材に立設され、紫外線硬化樹脂により固定される複数の固着部と、
を備え、
前記硬化部材は、前記フレーム部材に敷設される前記板部材上に前記２液硬化剤が設けられて形成されることを特徴とするクリアボード。
【請求項２】
請求項１に記載のクリアボードについて、
前記硬化部材は、
前記板部材とともに載置される装飾部材上に前記２液硬化剤が設けられて形成されることを特徴とするクリアボード。
【請求項３】
請求項１または請求項２に記載のクリアボードについて、
前記板部材は、前記複数の固着部を前記立設するための複数の孔部が形成されていることを特徴とするクリアボード。
【手続補正２】
【補正対象書類名】明細書
【補正対象項目名】０００６
【補正方法】変更
【補正の内容】
【０００６】
本発明に係る橋梁検査方法は、フレーム部材に２液硬化剤が設けられて形成される硬化部材と、透明性を有する板部材と、前記板部材の下に敷設される図案部に基づいて前記板部材に立設され、紫外線硬化樹脂により固定される複数の固着部と、を備え、前記硬化部材は、前記フレーム部材に敷設される前記板部材上に前記２液硬化剤が設けられて形成されることを特徴とする。
【手続補正３】
【補正対象書類名】明細書
【補正対象項目名】０００７
【補正方法】削除
【補正の内容】